(57)【特許請求の範囲】
【請求項１】
内周面から軸方向中心に向かって突出する隔壁部を備え、上端側が開口し、下端側が閉塞された略円筒状のケーシングと、
該ケーシングの軸方向中心に沿って配設される回転軸と、
該回転軸の外周面に突設され、前記ケーシング内に形成された粘性液体が充填される液体室内で該回転軸と共に回動すると共に、先端面に切欠を有するベーン部材と、
軸方向の長さが該ベーン部材とほぼ同じであると共に、円弧部と半径部とを有する平面略Ｌ字状に形成され、少なくとも該ベーン部材の先端面を被覆するベーンカバーと、
前記ケーシングの上面開口部を閉塞する蓋部材とを有し、
さらに、前記ベーン部材とベーンカバーとの間に設けられ、常態においては、該ベーン部材の制動力発揮方向側の側面に沿って設けられる該ベーンカバーの半径部を、該ベーン部材の制動力発揮方向側の側面に密着させる方向に付勢し、前記回転軸が非制動力発揮方向に回転する場合には、前記粘性液体の圧力により変形して、該ベーンカバーの半径部を該ベーン部材の制動力発揮方向側の側面から離間させるバネ部材が設けられていることを特徴とするロータリーダンパ。
【請求項２】
請求項１記載のロータリーダンパであって、前記バネ部材が、前記ベーン部材の先端面に形成された切欠に嵌合可能な平面略コ字状の嵌合部と、該嵌合部の上端付近及び下端付近における一方の角部から各々外方に延びる舌片とを有することを特徴とするロータリーダンパ。
【請求項３】
内周面から軸方向中心に向かって突出する隔壁部を備え、上端側が開口し、下端側が閉塞された略円筒状のケーシングと、
該ケーシングの軸方向中心に沿って配設される回転軸と、
該回転軸の外周面に突設され、前記ケーシング内に形成された粘性液体が充填される液体室内で該回転軸と共に回動すると共に、先端面に切欠を有するベーン部材と、
平面略Ｕ字状に形成され、該ベーン部材の両側面に沿って内面が密着して設けられる半径部を有すると共に、該各半径部のうちの制動力発揮方向側の半径部に該粘性液体が通過可能な還流用の液体通過孔を有し、軸方向の長さが該ベーン部材とほぼ同じで、少なくとも該ベーン部材の先端面を被覆するベーンカバーと、
前記ケーシングの上面開口部を閉塞する蓋部材とを有し、
さらに、前記ベーンカバーの制動力発揮方向側の半径部に設けられ、常態においては、該ベーンカバーの液体通過孔を閉口させ、前記回転軸が非制動力発揮方向に回転する場合には、前記粘性液体の圧力により変形して、該ベーンカバーの液体通過孔を開口させるバネ部材が設けられていることを特徴とするロータリーダンパ。
【請求項４】
請求項３記載のロータリーダンパであって、前記バネ部材が、基端部から突出する三つの片部を有して形成され、このうちの両側に形成される各片部が中央に形成される平板状の片部に対して、平面からみて略平行に位置するよう曲げ加工されていることを特徴とするロータリーダンパ。
【請求項５】
請求項１〜４のいずれか１項記載のロータリーダンパであって、前記蓋部材の内側に、裏面に前記粘性液体が通過する円弧状のオリフィス溝を有する交換可能なスペーサ板が設けられていることを特徴とするロータリーダンパ。
【発明の詳細な説明】
【０００１】
【産業上の利用分野】
本発明は、回転することにより開閉動作する回転蓋や回転扉等の回転動作を遅動させるロータリーダンパに関する。
【０００２】
【従来の技術】
従来、回転することにより開閉動作する回転蓋や回転扉等の回転動作を遅動させるロータリーダンパとして、例えば、図１２に示すように、隔壁部１０１を備えたケーシング１０２と、該ケーシング１０２の軸方向中心に沿って配設される回転軸１０３と、該回転軸１０３の外周面に突設され、粘性液体１０４が充填される液体室１０５内で該回転軸１０３と共に回動すると共に、先端面１０６ａに切欠１０７を有するベーン部材１０６と、該ベーン部材１０６の先端面１０６ａを被覆する円弧部１０８ａと該円弧部１０８ａの両側から半径方向に沿って突出する半径部１０８ｂ，１０８ｃとを有して形成されると共に、該各半径部１０８ｂ，１０８ｃのうちの一方の半径部１０８ｂに切欠１０９を有するベーンカバー１０８とを備えて構成されるロータリーダンパ１００がある。
【０００３】
上記のロータリーダンパ１００は、回転軸１０３が回転蓋等の軸体に連結されて使用され、回転蓋等が開放動作する場合には、その開放動作に伴って、回転蓋等の軸体及びこれに連結された回転軸１０３とベーン部材１０６が非制動力発揮方向（図上、反時計回り方向）に回転する。これにより、ベーンカバー１０８がその際に生じる粘性液体１０４の圧力により移動して、ベーンカバー１０８の一方の半径部１０８ｂがベーン部材１０６に当接し、ベーン部材１０６の先端面１０６ａに形成された切欠１０７と、ベーンカバー１０８の一方の端部１０８ｂに形成された切欠１０９と、ベーンカバー１０８の他方の半径部１０８ｃ及びベーン部材１０６との間の間隙とにより粘性液体１０４が通過可能な還流路が形成される。そして、液体室１０５内の粘性液体１０４は、ケーシング１０２の底壁内面等に形成されたオリフィス溝（図示せず）を通過すると共に、この還流路を通過して流動するので、その際に生じる粘性抵抗が小さくなり、それにより、ロータリダンパ１００が発揮する制動力も小さくなる。その結果、回転蓋等を、該回転蓋等の自重に相当する力程度で開放させることができる。
【０００４】
他方、回転蓋等が閉成動作する場合には、その閉成動作に伴って、回転蓋等の軸体及びこれに連結された回転軸１０３とベーン部材１０６が制動力発揮方向（図上、時計回り方向）に回転する。これにより、まず、他方の半径部１０８ｃにベーン部材１０６が当接し、ベーン部材１０６とベーンカバー１０８との間に形成された還流路が遮断される。粘性液体１０４は、ケーシング１０２の底壁内面等に形成されたオリフィス溝のみを通過して流動する。この結果、粘性液体１０４の流動が制限され、粘性液体１０４がオリフィス溝を通過する際の抵抗によりロータリーダンパ１００は大きな制動力を発揮して、それにより、回転蓋等の回転動作を遅動させることができる。
【０００５】
【発明が解決しようとする課題】
しかしながら、上記のロータリーダンパでは、非制動力発揮方向における粘性液体の還流路を確保するため、ベーンカバーとベーン部材との間に遊びが設けられている。従って、非制動力発揮方向に回転させた場合には、上記したように、ベーン部材１０６がベーンカバー１０８の他方の半径部１０８ｃに当接するまでは制動力は発揮されない。このため、回転蓋等を僅かに開放動作させた後、閉成動作させた場合には、制動力が付与されることなく回転蓋等が閉成動作してしまい、回転蓋等が該回転蓋等の支持枠に勢いよく衝突して破損する等の不具合が生じていた。
【０００６】
かかる不具合を解消するため、ベーンカバーとベーン部材との間の遊びをできるだけ小さくすることも考えられるが、この場合には、ベーン部材とベーンカバーとの間に形成される還流路が狭くなるため、非制動力発揮方向に回転する際における粘性液体の流動が制限され、回転蓋等を開放させる場合には、回転蓋等の自重を超える大きな力が必要となる。
【０００７】
そこで、本発明は、回転蓋等を開放させる際に必要な力が大きくなり過ぎることがなく、回転蓋等を僅かに開放動作させた後、閉成動作させた場合に、確実に制動力を発揮して、回転蓋等の回転動作を遅動させることができるロータリーダンパを提供することを課題とする。
【０００８】
【課題を解決するための手段】
上記課題を解決するため、請求項１記載の本発明のロータリーダンパは、内周面から軸方向中心に向かって突出する隔壁部を備え、上端側が開口し、下端側が閉塞された略円筒状のケーシングと、該ケーシングの軸方向中心に沿って配設される回転軸と、該回転軸の外周面に突設され、前記ケーシング内に形成された粘性液体が充填される液体室内で該回転軸と共に回動すると共に、先端面に切欠を有するベーン部材と、軸方向の長さが該ベーン部材とほぼ同じであると共に、円弧部と半径部とを有する平面略Ｌ字状に形成され、少なくとも該ベーン部材の先端面を被覆するベーンカバーと、前記ケーシングの上面開口部を閉塞する蓋部材とを有し、さらに、前記ベーン部材とベーンカバーとの間に設けられ、常態においては、該ベーン部材の制動力発揮方向側の側面に沿って設けられる該ベーンカバーの半径部を、該ベーン部材の制動力発揮方向側の側面に密着させる方向に付勢し、前記回転軸が非制動力発揮方向に回転する場合には、前記粘性液体の圧力により変形して、該ベーンカバーの半径部を該ベーン部材の制動力発揮方向側の側面から離間させるバネ部材が設けられていることを特徴とする。
請求項２記載の本発明のロータリーダンパは、請求項１記載のロータリーダンパであって、前記バネ部材が、前記ベーン部材の先端面に形成された切欠に嵌合可能な平面略コ字状の嵌合部と、該嵌合部の上端付近及び下端付近における一方の角部から各々外方に延びる舌片とを有することを特徴とする。
請求項３記載の本発明のロータリーダンパは、内周面から軸方向中心に向かって突出する隔壁部を備え、上端側が開口し、下端側が閉塞された略円筒状のケーシングと、該ケーシングの軸方向中心に沿って配設される回転軸と、該回転軸の外周面に突設され、前記ケーシング内に形成された粘性液体が充填される液体室内で該回転軸と共に回動すると共に、先端面に切欠を有するベーン部材と、平面略Ｕ字状に形成され、該ベーン部材の両側面に沿って内面が密着して設けられる半径部を有すると共に、該各半径部のうちの制動力発揮方向側の半径部に該粘性液体が通過可能な還流用の液体通過孔を有し、軸方向の長さが該ベーン部材とほぼ同じで、少なくとも該ベーン部材の先端面を被覆するベーンカバーと、前記ケーシングの上面開口部を閉塞する蓋部材とを有し、さらに、前記ベーンカバーの制動力発揮方向側の半径部に設けられ、常態においては、該ベーンカバーの液体通過孔を閉口させ、前記回転軸が非制動力発揮方向に回転する場合には、前記粘性液体の圧力により変形して、該ベーンカバーの液体通過孔を開口させるバネ部材が設けられていることを特徴とする。
請求項４記載の本発明のロータリーダンパは、請求項３記載のロータリーダンパであって、前記バネ部材が、基端部から突出する三つの片部を有して形成され、このうちの両側に形成される各片部が中央に形成される平板状の片部に対して、平面からみて略平行に位置するよう曲げ加工されていることを特徴とする。
請求項５記載の本発明のロータリーダンパは、請求項１〜４のいずれか１項記載のロータリーダンパであって、前記蓋部材の内側に、裏面に前記粘性液体が通過する円弧状のオリフィス溝を有する交換可能なスペーサ板が設けられていることを特徴とする。
【０００９】
【発明の実施の形態】
以下、本発明の実施の形態を図面に基づいて詳細に説明する。
図１は本発明の第一の実施の形態に係るロータリーダンパ１を示す横断面図であり、図２はロータリーダンパ１の縦断面図である。これらの図に示すように、ロータリーダンパ１は、ケーシング２、回転軸３、ベーン部材４、ベーンカバー５、蓋部材６及びバネ部材７を有して構成されている。
【００１０】
ケーシング２は、上面開口の有底略円筒状に形成され、その内周面２ａには、ケーシング２の軸方向中心に向かって突出する平面視で略扇形の隔壁部２１が形成されている。ケーシング２の軸方向中心寄りに位置する隔壁部２１の先端面２１ａは、回転軸３の外周面と摺接するよう略円弧状に形成されている。この隔壁部２１を境としてケーシング２内に液体室２２が形成され、この液体室２２内に、グリス等の粘性液体８が充填される。また、ケーシング２の上面開口部２ｂには、回転軸３を挿通可能な蓋部材６が配設される。
【００１１】
蓋部材６は、略円盤状で、略中央に回転軸挿通孔６１ａが貫通形成された蓋本体６１と、同じく略円盤状で、略中央に回転軸挿通孔６２ａが貫通形成されたガイド板６２を有して構成される。蓋本体６１とガイド板６２は、蓋本体６１が表側に、ガイド板６２が裏側に配設され、該ガイド板６２の裏面６２ｂはスペーサ板９の表面９ａに接している。
【００１２】
スペーサ板９は、蓋部材６の内側に、裏面９ｂがケーシング２の隔壁部２１の上端面及びベーン部材４の上端面に接するように配設される。また、スペーサ板９の裏面９ｂには、図３に示すように、円弧状に刻設された溝からなるオリフィス溝９１が設けられており、ロータリダンパ１は、このオリフィス溝９１を粘性液体８が通過する際の抵抗により、所定の制動力を発揮することがことができる。なお、本実施の形態のように、オリフィス溝９１の幅を、回転軸３及びベーン部材４の制動力発揮方向に向かって次第に小さくなるように形成すれば、ベーン部材４が制動力発揮方向に回転するに従って、より大きな制動力を働かせることができる。また、オリフィス溝９１が種々の形状に形成された複数のスペーサ板９を準備しておけば、回転蓋等の可動側のトルク変化に合わせてロータリーダンパ１の制動特性を変更したい場合には、このスペーサ板９のみを交換するだけで対応が可能となる。
【００１３】
なお、本実施の形態では、スペーサ板９の裏面９ｂにオリフィス溝９１を設けているが、スペーサ板９を配設しない場合には、ケーシング２の底壁内面、又はガイド板６２の裏面６２ｂにオリフィス溝を形成してもよく、さらに、蓋部材６を蓋本体６１のみから構成し、ガイド板６２を配設しない場合には、蓋本体６１の裏面にオリフィス溝を形成してもよい。
【００１４】
回転軸３は、略円柱状に形成され、一端３１が蓋部材６を構成する蓋本体６１とガイド板６２に形成された回転軸挿通孔６１ａ，６２ａ、及びスペーサ板９の略中央に形成された回転軸挿通孔９ｃに挿通され、他端３２がケーシング２の底壁内面の略中央に形成された溝２３に嵌入され、ケーシング２の軸方向中心に沿って配設されている。回転軸３の外周面には、図１及び図４に示すように、回転軸３において相対峙する位置にベーン部材４が突設されており、このベーン部材４は、回転軸３と一体に成形されている。
【００１５】
ベーン部材４は、上記したように回転軸３の外周面に突設され、液体室２２内に位置するように配設されている。このベーン部材４は、略四角形の平板状に形成され、軸方向に沿った長さが、回動した際に上端面４ａがスペーサ板９の裏面９ｂに摺接し、下端面４ｂがケーシング２の底壁内面に摺接する程度の長さを有する。また、半径方向に沿った長さは、ケーシング２の内周面２ａから回転軸３の外周面までの半径方向に沿った距離よりも短く形成されている。また、先端面４ｃには、側面略コ字状の切欠４ｄが形成されている。
【００１６】
ベーンカバー５は、図１及び図５に示すように、軸方向の長さがベーン部材４とほぼ同じであると共に、円弧部５２と半径部５１とを有する平面略Ｌ字状に形成され、少なくともベーン部材４の先端面４ｃを被覆するように配設されている。具体的には、ベーンカバー５は、円弧部５２が、ケーシング２の内周面２ａとベーン部材４の先端面４ｃとの間に設けられ、半径部５１が、該円弧部５２の一方の側面から半径方向に沿って突出して形成されている。そして、常態においては、円弧部５２がケーシング２の内周面２ａに接しつつベーン部材４の先端面４ｃを被覆する一方、半径部５１がその内面をベーン部材４の制動力発揮方向側の側面４ｅに密着させて配設されている。
【００１７】
バネ部材７は、図１に示すように、上記したベーン部材４とベーンカバー５との間に配設されている。具体的には、平面視で略コ字状に形成された嵌合部７ａがベーン部材４の先端面４ｃに形成された切欠４ｄにはめ込まれ、該嵌合部７ａの上端付近及び下端付近における一方の角部から各々外方に延びる舌片７ｂ，７ｂがベーンカバー５の円弧部５２の端部に内面から刻設された各係合溝５２ａ，５２ａに係合されている（図１、図５（ｂ）及び図６参照）。これにより、バネ部材７は、そのバネ作用により、ベーン部材４の制動力発揮方向側の側面４ｅに沿って設けられたベーンカバー５の半径部５１を、常に、ベーン部材４の制動力発揮方向側の側面４ｅに密着させる方向に付勢している。このため、常態においては、図１に示すように、ベーンカバー５の半径部５１の内面が、ベーン部材４の制動力発揮方向側の側面４ｅに密着した状態となっている。他方、図７に示すように、回転軸３及びベーン部材４が非制動力発揮方向（図上、反時計回り方向）に回転した場合においては、バネ部材７の舌片７ｂが、液体室２２内の粘性液体８の圧力により回転軸３等の回転方向とは逆方向（図上、時計回り方向）に変形する。これにより、ベーンカバー５の半径部５１の内面が、ベーン部材４の制動力発揮方向側の側面４ｅから離間して、ベーン部材４の先端面４ｃに形成された切欠４ｄと、ベーンカバー５の半径部５１の内面及びベーン部材４の制動力発揮方向側の側面４ｅとの間に形成される間隙とにより粘性液体８が通過可能な還流路が形成される。
【００１８】
図１及び図７に基づき上記したロータリーダンパ１の作用を説明する。
ロータリーダンパ１は、回転軸３の一端３１を制動対象となる回転蓋等の軸体（図示せず）に連結し、ケーシング２を所定の位置に固定して使用される。回転蓋等が閉成動作する場合には、その閉成動作に伴って、回転蓋等の軸体及びこれに連結された回転軸３とベーン部材４が制動力発揮方向（図上、時計回り方向）に回転する。この際、ベーンカバー５は、バネ部材７により、半径部５１の内面がベーン部材４の制動力発揮方向側の側面４ｅに密着する方向に付勢されているため、回転軸３等が回転する当初から遊びなく液体室２２内の粘性液体８を圧縮する。それにより、粘性液体８はスペーサ板９に設けられたオリフィス溝９１のみを通じて流動し、その際に生じる抵抗により、ロータリーダンパ１は回転軸３等の回転当初から大きな制動力を発揮することができる。その結果、回転蓋等を持ち上げて僅かに開放動作させた後、閉成動作させた場合でも、その閉成動作の当初から回転蓋等に制動力を付与して、回転軸３に連結された回転蓋等の軸体をゆっくりと回動させ、回転蓋等の回転動作を遅動させることができる。なお、制動対象となる回転蓋等の重量などの要因により、ロータリーダンパ１の制動力が大きすぎたり、また、制動力を大きく変更したり、制動力が強くなり始める位置を変更したい場合もある。かかる場合には、蓋部材６を外し、スペーサ板９を他のスペーサ板と交換すれば対応することが可能となる。
【００１９】
他方、回転蓋等が開放動作する場合には、その開放動作に伴って、回転蓋等の軸体及びこれに連結された回転軸３とベーン部材４が非制動力発揮方向（図上、反時計回り方向）に回転する。この際、バネ部材７の舌片７ｂが、液体室２２内の粘性液体８の圧力により回転軸３等の回転方向とは逆方向（図上、時計回り方向）に変形して、これに伴いベーンカバー５の半径部５１の内面が、ベーン部材４の制動力発揮方向側の側面４ｅから離間する。これにより、粘性液体８はオリフィス溝９１のほか、ベーン部材４の先端面４ｃに形成された切欠４ｄと、ベーンカバー５の半径部５１の内面及びベーン部材４の制動力発揮方向側の側面４ｅとの間に形成される間隙とを通じて流動するので、その際に生じる抵抗が小さい。そのため、ロータリーダンパ１が発揮する制動力も小さく、その結果、回転蓋等を、該回転蓋等の自重に相当する力程度で開放させることができる。
【００２０】
次に、本発明の第二の実施の形態を説明する。図８は第二の実施の形態に係るロータリーダンパ１′を示す横断面図であり、このロータリーダンパ１′は、上記したロータリーダンパ１とほぼ同様に構成されるが、ベーンカバー５′及びバネ部材７′が、上記したロータリーダンパ１のベーンカバー５及びバネ部材７と異なる形状等を有して構成されている。
【００２１】
ベーンカバー５′は、ベーン部材４′の両側面４ｆ′，４ｅ′に沿って内面が密着して設けられる半径部５１ａ′，５１ｂ′を有する平面略Ｕ字状に形成され、軸方向の長さがベーン部材４′とほぼ同じで、少なくともベーン部材４′の先端面４ｃ′を被覆するように配設されている。図９に示すように、ベーンカバー５′の、ベーン部材４′の一方の側面４ｆ′に沿って設けられる半径部５１ａ′の軸方向中央部には、該半径部５１ａ′の形状が側面からみて略コ字状となるようにするための切欠５３ａ′が形成されている。また、ベーン部材４′の他方の側面４ｅ′に沿って設けられる半径部５１ｂ′の軸方向中央部には、所定の幅、長さにわたり、外面から内面に向かって刻設された凹部５３ｂ′を有しており、この結果、該半径部５１ｂ′の軸方向略中央部には、内面側に薄肉の壁部５１ｄ′が形成されている（図９（ｅ）参照）。そして更に、薄肉の壁部５１ｄ′には、還流時に粘性液体８′が通過可能な液体通過孔５４′が形成されている。
【００２２】
バネ部材７′は、図１０に示すように、基端部７２′から突出する三つの片部７１ａ′，７１ｂ′，７１ｃ′を有する形状に形成され、このうちの両側に形成される各片部７１ａ′，７１ｃ′が中央に形成される平板状の片部７１ｂ′に対して、平面からみて略平行に位置するよう曲げ加工されて形成されている（図１０（ａ）参照）。そして、平板状の片部７１ｂ′がベーンカバー５′の半径部５１ｂ′に形成された凹部５３ｂ′に位置し、液体通過孔５４′を閉口するように配設され、両側の各片部７１ａ′，７１ｃ′が半径部５１ｂ′において凹部５３ｂ′を挟んだ上下の肉部を縦方向に貫通する孔部５５′内に位置するように配設されている。これにより、バネ部材７′は、そのバネ作用により、常に、平板状の片部７１ｂ′をベーンカバー５′の半径部５１ｂ′の薄肉の壁部５１ｄ′に密着させ、液体通過孔５４′を閉口している。
【００２３】
図８に基づきロータリーダンパ１′の作用を説明する。
ロータリーダンパ１′も上記したロータリーダンパ１と同様に回転軸３′の一端を制動対象となる回転蓋等の軸体（図示せず）に連結し、ケーシング２′を所定の位置に固定して使用される。回転蓋等が閉成動作する場合には、その閉成動作に伴って、回転蓋等の軸体及びこれに連結された回転軸３′とベーン部材４′が制動力発揮方向（図上、時計回り方向）に回転する。この際、ベーンカバー５′は、バネ部材７′の平板状の片部７１ｂ′により液体通過孔５４′が閉口された状態でベーン部材４′を介してケーシング２′の内周面２ａ′に摺接しつつ回転して粘性液体８′を圧縮するため、該粘性液体８′がスペーサ板（図示せず）のオリフィス溝のみを通じて流動することになる。また、この場合に、ベーンカバー５′は、各半径部５１ａ′，５１ｂ′の内面がベーン部材４′の両側面４ｆ′，４ｅ′に沿って密着しており、本実施の形態においても粘性液体８′を圧縮するにあたって遊びがないので、ロータリーダンパ１′は回転軸３′等の回転当初から大きな制動力を発揮することができる。
【００２４】
他方、回転蓋等が開放動作する場合には、その開放動作に伴って、回転蓋等の軸体及びこれに連結された回転軸３′とベーン部材４′が非制動力発揮方向（図上、反時計回り方向）に回転する。この際、図１１に示すように、バネ部材７′の平板状の片部７１ｂ′が、粘性液体８′がベーンカバー５′の一方の半径部５１ａ′の切欠５３ａ′、ベーン部材４′の切欠４ｄ′、及びベーンカバー５′の他方の半径部５１ｂ′の液体通過孔５４′を通じて流動する際の圧力により押されて、両側の片部７１ａ′，７１ｃ′寄りに変形し、それにより、液体通過孔５４′が開口される。その結果、粘性液体８′がオリフィス溝以外に、該液体通過孔５４′を通じて、液体室２２′内におけるベーン部材４′及びベーンカバー５′により仕切られた非制動力発揮方向側の室２２ａ′から制動力発揮方向側の室２２ｂ′へと流動可能となるため、その際に生じる抵抗が小さくなり、従って、ロータリーダンパ１′が発揮する制動力も小さくなる。
【００２５】
【発明の効果】
本発明の請求項１及び２に係るロータリーダンパは、ベーン部材とベーンカバーとの間に、常態においては、該ベーン部材の制動力発揮方向側の側面に沿って設けられる該ベーンカバーの半径部を、該ベーン部材の制動力発揮方向側の側面に密着させる方向に付勢して、該ベーンカバーの半径部を該ベーン部材の制動力発揮方向側の側面に密着させ、前記回転軸が非制動力発揮方向に回転する場合には、前記粘性液体の圧力により変形して、該ベーンカバーの半径部を該ベーン部材の制動力発揮方向側の側面から離間させるバネ部材が設けられている。これにより、回転蓋等を開放させる場合には、ベーン部材とベーンカバーとの間に粘性液体が通過可能な還流路が形成され、粘性液体がオリフィス溝のほか、この還流路をも通過するので、その際に生じる抵抗が小さくなり、その結果、回転蓋等を、該回転蓋等の自重に相当する力程度で開放させることができる。他方、回転蓋等を閉成させる場合には、当初からベーンカバーの半径部がベーン部材の制動力発揮方向側の側面に密着して前記還流路を遮断しているので、回転軸等の回転当初から大きな制動力を発揮することができる。その結果、回転蓋等を持ち上げて僅かに開放動作させた後、閉成動作させた場合でも、回転蓋等の閉成動作を遅動させることができる。
【００２６】
また、請求項３及び４に係るロータリーダンパによっても上記と同様の効果を奏することができる。すなわち、このロータリーダンパは、ベーン部材の両側面に沿って内面が密着して設けられる半径部を有するベーンカバーの制動力発揮方向側の半径部に設けられ、常態においては、該ベーンカバーの液体通過孔を閉口させ、前記回転軸が非制動力発揮方向に回転する場合には、前記粘性液体の圧力により変形して、該ベーンカバーの液体通過孔を開口させるバネ部材が設けられている。これにより、回転蓋等を開放させる場合には、ベーンカバーの液体通過孔を開口させ、粘性液体がオリフィス溝以外に、該液体通過孔を通じて液体室内におけるベーン部材及びベーンカバーにより仕切られた非制動力発揮方向側の室から制動力発揮方向側の室へと流動可能となるため、その際に生じる抵抗が小さくなる。その結果、回転蓋等を、該回転蓋等の自重に相当する力程度で開放させることができる。他方、回転蓋等を閉成させる場合には、当初からベーンカバーがベーン部材に遊びなく設けられていると共に、バネ部材により前記液体通過孔が閉口されているので、回転軸等の回転当初から大きな制動力を発揮することができる。その結果、回転蓋等を持ち上げて僅かに開放動作させた後、閉成動作させた場合でも、回転蓋等の閉成動作を遅動させることができる。
【００２７】
また、請求項５のように、蓋部材の内側に、裏面に粘性液体が通過する円弧状の液体流路を有する交換可能なスペーサ板を設ければ、制動力を変更したい場合には、該スペーサ板を、オリフィス溝が種々の形状に形成されている他のスペーサ板と交換することで対応することができる。
【図面の簡単な説明】
【図１】  本発明の第一の実施の形態に係るロータリーダンパを示す横断面図である。
【図２】  同実施の形態に係るロータリーダンパを示す縦断面図である。
【図３】  同実施の形態で用いたスペーサ板を示す底面図である。
【図４】  同実施の形態で用いた回転軸及びベーン部材を示す右側面図である。
【図５】  同実施の形態で用いたベーンカバーを示す図であり、（ａ）は平面図、（ｂ）は正面図である。
【図６】  同実施の形態で用いたバネ部材を示す図であり、（ａ）は平面図、（ｂ）は左側面図である。
【図７】  同実施の形態に係るロータリーダンパの回転軸が非制動力発揮方向に回転している状態を示す横断面図である。
【図８】  本発明の第二の実施の形態に係るロータリーダンパを示す横断面図である。
【図９】  同実施の形態で用いたベーンカバーを示す図であり、（ａ）は左側面図、（ｂ）は平面図、（ｃ）は右側面図、（ｄ）は（ｃ）のＡ−Ａ断面図、（ｅ）は（ｃ）のＢ−Ｂ断面図、（ｆ）は（ｃ）のＣ−Ｃ断面図である。
【図１０】  同実施の形態で用いたバネ部材を示す図であり、（ａ）は平面図、（ｂ）は右側面図である。
【図１１】  同実施の形態で用いたバネ部材の変形した状態を示す平面図である。
【図１２】  従来のロータリーダンパを示す横断面図である。
【符号の説明】
１，１′  ロータリーダンパ
２，２′  ケーシング
２１，２１′  隔壁部
２２，２２′  液体室
３，３′  回転軸
４，４′  ベーン部材
５，５′  ベーンカバー
６  蓋部材
７，７′  バネ部材
８，８′  粘性液体
９  スペーサ板
９１  オリフィス溝
【図１】
0004101948.tif 000002
【図２】
0004101948.tif 000003
【図３】
0004101948.tif 000004
【図４】
0004101948.tif 000005
【図５】
0004101948.tif 000006
【図６】
0004101948.tif 000007
【図７】
0004101948.tif 000008
【図８】
0004101948.tif 000009
【図９】
0004101948.tif 000010
【図１０】
0004101948.tif 000011
【図１１】
0004101948.tif 000012
【図１２】
0004101948.tif 000013